(57)【要約】      （修正有）【課題】商品である煙草が陳列棚から取られたことを周囲にいる人に確実に知らせることが可能であり、かつ陳列棚が揺れただけでは異常を検知することがない防盗機能付き煙草陳列装置を提供する。【解決手段】煙草Ａを並べて載置する載置部２７の前部が露出する陳列棚２０と、載置部の直前部分を陳列棚の前面と略平行な方向に通る検知光を発光する発光部、及び、障害物Ｂによって反射した検知光を受光する反射時受光部を有する光学式センサ５０と、反射時受光部が検知光を受光したときに光と音の少なくともいずれかを発する警報器５５と、を備える。【選択図】図２
0003148920.tif 000002
【実用新案登録請求の範囲】
【請求項１】
煙草を並べて載置する載置部の前部が露出する陳列棚と、
上記載置部の直前部分を上記陳列棚の前面と略平行な方向に通る検知光を発光する発光部と、
障害物によって反射した該検知光を受光する反射時受光部、または、障害物によって遮られなかった該検知光を受光する通過時受光部と、
上記反射時受光部が検知光を受光したとき、または上記通過時受光部が検知光を受光しないときに光と音の少なくともいずれかを発する警報器と、
を備えることを特徴とする防盗機能付き煙草陳列装置。
【請求項２】
請求項１記載の防盗機能付き煙草陳列装置において、
上記発光部と上記反射時受光部が一体であり、かつ上記載置部の上方と下方の一方に位置する防盗機能付き煙草陳列装置。
【請求項３】
請求項１記載の防盗機能付き煙草陳列装置において、
上記載置部の上方と下方の一方に位置する上記発光部と、
他方に位置する、該発光部とは別体の上記通過時受光部と、を備える防盗機能付き煙草陳列装置。
【請求項４】
煙草を並べて載置する載置部の前部が露出する陳列棚と組み合わせて使用する防盗装置であって、
上記載置部の直前部分を上記陳列棚の前面と略平行な方向に通る検知光を発光する発光部と、
障害物によって反射した該検知光を受光する反射時受光部、または、障害物によって遮られなかった該検知光を受光する通過時受光部と、
上記反射時受光部が検知光を受光したとき、または上記通過時受光部が検知光を受光しないときに光と音の少なくともいずれかを発する警報器と、
を備えることを特徴とする煙草陳列棚用の防盗装置。
【請求項５】
請求項４記載の煙草陳列棚用の防盗装置において、
上記発光部と上記反射時受光部が一体である煙草陳列棚用の防盗装置。
【請求項６】
請求項４記載の煙草陳列棚用の防盗装置において、
上記発光部と上記通過時受光部が別体である煙草陳列棚用の防盗装置。
【考案の詳細な説明】
【技術分野】
【０００１】
本考案は、防盗機能付き煙草陳列装置、及び、煙草陳列棚用の防盗装置に関する。
【背景技術】
【０００２】
近年、コンビニエンスストア等では、レジスターを載せたレジ台の上に煙草用の陳列棚を載せて煙草の販売を行うことが多い。
陳列棚の前面は開口しており、かつ煙草を前後方向に並べて載せるための陳列板を上下複数段に渡って備えている。さらに、陳列板の奥側には、後端部に位置する煙草を前方に移動付勢するためのバネ手段が設けてある。
陳列棚の直前に位置した客が自らの手で前端に位置する煙草（煙草が収納された箱）を取ると、バネ手段の付勢手段によって残された煙草群が煙草１個分だけ前方に押される。そして、客は取った煙草をレジスターの奥にいる店員に渡して会計処理を行う。
【考案の開示】
【考案が解決しようとする課題】
【０００３】
しかし、コンビニエンスストアでは深夜等の時間帯に店員がレジ台から一時的に離れることが多いため、この時間帯に陳列棚から煙草が万引きされることが多い。また、店員がレジ台の周囲に居るときにも万引きが行われることもある。
【０００４】
このような問題を解決するため、バネ手段に鈴またはブザーを取り付け、前端の煙草が取られることによりバネ手段が変形したときに鈴またはブザーが鳴るようにすることがある。
しかし、煙草は軽量の商品であるため、一般的に煙草用の陳列棚の剛性はそれ程高くない。そのため、客や店員の体が陳列棚に触れただけでも陳列棚は揺れ、客が煙草を取ってないにも拘わらず鈴やブザーが鳴ってしまうことがある。
【０００５】
本考案の目的は、商品である煙草が陳列棚から取られたことを周囲にいる人に確実に知らせることが可能であり、かつ陳列棚が揺れただけでは異常を検知することがない防盗機能付き煙草陳列装置、及び、煙草陳列棚用の防盗装置を提供することにある。
【課題を解決するための手段】
【０００６】
本考案の防盗機能付き煙草陳列装置は、煙草を並べて載置する載置部の前部が露出する陳列棚と、上記載置部の直前部分を上記陳列棚の前面と略平行な方向に通る検知光を発光する発光部と、障害物によって反射した該検知光を受光する反射時受光部、または、障害物によって遮られなかった該検知光を受光する通過時受光部と、上記反射時受光部が検知光を受光したとき、または上記通過時受光部が検知光を受光しないときに光と音の少なくともいずれかを発する警報器と、を備えることを特徴としている。
【０００７】
本考案の煙草陳列棚用の防盗装置は、煙草を並べて載置する載置部の前部が露出する陳列棚と組み合わせて使用する防盗装置であって、上記載置部の直前部分を上記陳列棚の前面と略平行な方向に通る検知光を発光する発光部と、障害物によって反射した該検知光を受光する反射時受光部、または、障害物によって遮られなかった該検知光を受光する通過時受光部と、上記反射時受光部が検知光を受光したとき、または上記通過時受光部が検知光を受光しないときに光と音の少なくともいずれかを発する警報器と、を備えることを特徴としている。
【０００８】
いずれの場合も、上記発光部と上記反射時受光部が一体であり、かつ上記載置部の上方と下方の一方に位置してもよい。
【０００９】
また、上記載置部の上方と下方の一方に位置する上記発光部と、他方に位置する、該発光部とは別体の上記通過時受光部と、を備えてもよい。
【考案の効果】
【００１０】
本考案によれば、発光部が発射した検知光が陳列棚の載置部の直前部分を通るので、客が陳列棚の前方から手で煙草を取ろうとすると、該検知光が客の手によって遮られる。すると、反射時受光部を具備する場合は手で反射された検知光を反射時受光部が受光し、通過時受光部を具備する場合は手で遮られた検知光が反射時受光部によって受光されなくなるので、警報器が光と音のいずれかを発する。従って、店員は陳列棚から煙草が取られたことを確実に知ることができるので、万引きを効果的に防止できる。
さらに、仮に客の体が陳列棚に触れて陳列棚が揺れても、客が陳列棚から煙草を取らない限り警報器が作動することはないので、店員が勘違いをおこすことはない。
【考案を実施するための最良の形態】
【００１１】
以下、添付図面を参照しながら本考案の一実施形態について説明する。なお、以下の説明における方向は各図の矢線に示した方向とする。
本実施形態の防盗機能付き煙草陳列装置１０は、大きな構成要素として陳列棚２０と防盗装置４０を具備している。
まず陳列棚２０の構造について簡単に説明する。
陳列棚２０は、レジスターが載せられるレジ台（図示略）の上面に載せられる下部陳列棚２１と、下部陳列棚２１の上面に載せられる上部陳列棚３３とを具備している。
下部陳列棚２１は、側面視略平行四辺形をなすように加工された金属製のパイプ材からなる側枠２２を左右一対として備えており、左右の側枠２２の対向面には略水平な４枚の棚板２３の左右両端部が固定してある。さらに、左右の側枠２２の前側の下端部間には左右方向に延びる前側載置板２４が固定してあり、左右の側枠２２の後側の下端部間には左右方向に延びる後側載置板２５が固定してあり、これら前側載置板２４と後側載置板２５の下面が上記レジ台の上面に載置してある。一方、左右の側枠２２の上面間には略水平な天板２６の左右両端部が固定状態で架設してある。
各棚板２３の上面には、前後方向に延びる計６個の収納ケース（載置部）２７が左右方向に並べて前後方向にスライド可能として載置してある。収納ケース２７は上面が開口する箱体であり、無色透明なプラスチック材からなるものである。各収納ケース２７の内部には収納ケース２７と略同じ左右幅である煙草（煙草を収納した箱）Ａの下部が前後に並べて収納可能である。図示は省略してあるが、収納ケース２７の内部空間の後端部には最も後端に位置する煙草Ａの背面を前方に付勢するバネが挿入してあるので、収納ケース２７に挿入された各煙草Ａは隣り合うもの同士が互いに接触する。さらに、収納ケース２７の底面の前端部には、前端に位置する煙草Ａの底部を他の煙草Ａよりも一段持ち上げるリフト手段（図示略）が設けてある。
図２に示すように、最下段の棚板２３の後端と下から３段目の棚板２３の後端には、側面視略Ｖ字形をなす後方支持部材２９の上端部と下端部がそれぞれ当接している。後方支持部材２９は棚板２３とほぼ同じ左右幅を有しており、略水平な下面を上記レジ台の上面に載置している。
さらに、左右の側枠２２の外側面には、側枠２２、棚板２３、収納ケース２７及び煙草Ａを側方に露出させないための化粧板３１が固定してある。化粧板３１の側面視形状は前後非対称の台形である。
【００１２】
下部陳列棚２１の天板２６に載置した上部陳列棚３３は、側面視略平行四辺形をなすように加工された金属製のパイプ材からなる側枠３４を左右一対として備えている。左右の側枠３４の対向面の下端部には棚板２３の左右両端部がそれぞれ固定してあり、棚板２３の上面には６個の収納ケース２７が左右方向に並べて前後方向にスライド可能に載置してある。また、左右の側枠３４の上面間には略水平な天板３５の左右両端部が固定状態で架設してある。
左右の側枠３４の外側面には、側枠３４、棚板２３、収納ケース２７及び煙草Ａを側方に露出させないための化粧板３７が固定してある。化粧板３７の前部は半円形状であり、後面は化粧板３１の後面と側面視で連続する垂直面となっている。さらに、天板３５の上面には、紙等の軽量素材からなる広告部材３９が載置してある。広告部材３９は下面及び後面が開口する中空の箱体であり、その前面は商品である煙草Ａの銘柄等を記載するための広告面となっている。
【００１３】
続いて、以上構成の陳列棚２０とは別部材として製造される防盗装置４０の構成について説明する。
防盗装置４０は、上記レジ台の上面に載置されるセンサユニット４５と、上部陳列棚３３の天板３５に載置されるスピーカ（警報器）５５とを具備している。
センサユニット４５は、金属板を曲折加工した支持板４６を具備している。図示するように、支持板４６の左右幅は陳列棚２０と略同一であり、水平部４７と、水平部４７の前端から側枠２２の延長方向（上下方向に対して傾斜する方向）と平行な方向に延びる傾斜部４８とを具備している。上記レジ台の上面に水平部４７が載置してあり、かつ、水平部４７の後部に下部陳列棚２１の前側載置板２４の前部が載っている。さらに、水平部４７の上面には左右方向に延びる回路基板４９が固定してある。回路基板４９の上面の前端部には４つの光学式センサ５０が左右に並べて固定してあり、各光学式センサ５０は回路基板４９の回路と電気的に接続している。各光学式センサ５０の前面は傾斜部４８の後面に接触しており、光学式センサ５０の平坦な上面は水平ではなく傾斜部４８に対して直交している。光学式センサ５０の上面には、上方（陳列棚２０の前面と略平行な方向）に向かって可視光線や赤外線などの検知光を発射する発光部と、障害物に遮られることによって下方に反射した検知光を受光する反射時受光部（受光部）とを具備する発光兼受光部５１が設けてある。検知光の検知範囲（照射範囲）は図１及び図２に符号Ｒで示す範囲である。
スピーカ５５は上部陳列棚３３の天板３５の後部に載置してあり、広告部材３９の内部に位置している。スピーカ５５は電気コードＣ１によって回路基板４９の上記回路と電気的に接続しており、さらにスピーカ５５には一端にコンセント５６を有する電気コードＣ２の他端が接続している。スピーカ５５は、光学式センサ５０の発光兼受光部５１の反射時受光部が反射光（検知光）を受光したときに音声（例えば、「いらっしゃいませ」「ありがとうございました」等の音声）を出すものである。
【００１４】
次に、以上構成の防盗機能付き煙草陳列装置１０の動作について説明する。
レジ台の前から防盗機能付き煙草陳列装置１０に近づいた客は、手（障害物）Ｂを延ばすことにより前端に位置するいずれかの煙草Ａを収納ケース２７から取り出すことができる。
このとき、客の手Ｂは必ず発光兼受光部（発光部）５１から発射される検知光の検知範囲Ｒを通過する。そのため、いずれかの光学式センサ５０の発光兼受光部５１（発光部）から発射された検知光が手Ｂに遮られることによって下方に反射するので、該反射光が当該光学式センサ５０の発光兼受光部５１（反射時受光部）によって受光される。するとスピーカ５５が音声を発するので、仮に店員が店の奥にいてレジ台付近の様子を目視できない状況であっても、店員は客が防盗機能付き煙草陳列装置１０から煙草Ａを取り出したことを確実に知ることができる。
また、仮に客の手Ｂや体が化粧板３１や化粧板３７に触れて陳列棚２０が揺れても、客の手Ｂや体が検知光の検知範囲Ｒに入らなければ、スピーカ５５は音声を発しない。従って、客が陳列棚２０から煙草Ａを取っていないにも拘わらずスピーカ５５が音声を発生することはないので、店員が勘違いすることはない。
【００１５】
以上本考案を上記実施形態を利用して説明したが、本考案はこれらの実施形態に限定されるものではなく、様々な変更を施しながら実施可能である。
例えば、各光学式センサ５０を上部陳列棚３３の上部の前端部に固定し、各光学式センサ５０の発光兼受光部５１を下方に向けて、各発光兼受光部５１の発光部から検知光を下方（陳列棚２０の前面と略平行な方向）に向けて発射してもよい。また、各光学式センサ５０を陳列棚２０の前部の左側部（例えば、左側の化粧板３１、３７の前部）や右側部（例えば、右側の化粧板３１、３７の前部）に固定し、各光学式センサ５０が反対側の側部に向かって検知光を発射してもよい。
警告器としてスピーカ５５の代わりに警告灯を用いてもよい。このようにすれば、店員の聴力が弱い場合であっても、店員に煙草Ａが陳列棚２０から取られたことを知らせることが可能になる。また、音声と光を発する警告器を回路基板４９に電気的に接続してもよく、このようにすれば店員に対する注意喚起力がより向上する。また、警告器を光学式センサ５０と一体化してもよい。
さらに、光学式センサ５０の代わりに、検知光を発光する発光部と、検知光を受光する通過時受光部（受光部）とを別体として備える光学式センサを用いても良い。この場合は、陳列棚２０の直前部分における最上段の煙草Ａの上方と最下段の煙草Ａの下方の一方に発光部を配置すると共に他方に通過時受光部を配置し、通過時受光部が検知光を受光しないときに警告器が音声や光を発するようにする。このような態様で実施すると、客が手Ｂが検知光の検知範囲Ｒに入らないときは、発光部が発射した検知光はすべて通過時受光部が受光するので警告器は作動しない。一方、客の手Ｂが検知光の検知範囲Ｒに入ると、検知光の一部が手Ｂによって遮られるので、少なくともいずれかの通過時受光部が検知光を受光しなくなり、警告器が音や光を発する。また、発光部と通過時受光部（受光部）の一方を陳列棚２０の前部の左側部（例えば、左側の化粧板３１、３７の前部）に固定し、他方を右側部（例えば、右側の化粧板３１、３７の前部）に固定してもよい。
また、上記実施形態では各光学式センサ５０の検知範囲（光束の左右幅）Ｒが陳列棚２０の左右幅に比べて狭いために４つの光学式センサ５０を左右に並べて配置したが、光学式センサの数や配置は発光部と受光部の検知範囲に応じて自由に変更可能である。
【図面の簡単な説明】
【００１６】
【図１】本考案の一実施形態の防盗機能付き煙草陳列装置の正面図である。
【図２】同じく、化粧板を仮想線で示した側面図である。
【図３】センサユニットの平面図である。
【符号の説明】
【００１７】
１０    防盗機能付き煙草陳列装置
２０    陳列棚
２１    下部陳列棚
２２    側枠
２３    棚板
２４    前側載置板
２５    後側載置板
２６    天板
２７    収納ケース（載置部）
２９    後方支持部材
３１    化粧板
３３    上部陳列棚
３４    側枠
３５    天板
３７    化粧板
３９    広告部材
４０    防盗装置
４５    センサユニット
４６    支持板
４７    水平部
４８    傾斜部
４９    回路基板
５０    光学式センサ
５１    発光兼受光部（発光部）（反射時受光部）
５５    スピーカ（警報器）
５６    コンセント
Ａ      煙草
Ｂ      手（障害物）
Ｃ１  Ｃ２  電気コード
【図１】
0003148920.tif 000003
【図２】
0003148920.tif 000004
【図３】
0003148920.tif 000005